(57)【要約】【課題】  ホームセキュリティ装置など、重要度が高い重要情報を送受する機器が必要とする通信品質を確保しつつ、当該機器と、加入者が利用するパーソナルコンピュータなどとが、同一の通信回線を介して情報を送受することができる網制御装置を提供する。【解決手段】  本発明に係るＩＰ網用ＮＣＵ１５０は、パーソナルコンピュータなどが送受する通常情報、及びホームセキュリティ装置などが送受する重要情報を中継するレイヤ２スイッチ機能部１０２と、独立したＰＰＰｏＥ層の通信セッションを通信回線上に設定するとともに、当該通信セッションを用いて重要情報のみを送受するルータ機能部１０３と、ルータ機能部１０３の動作を制御及び監視する主制御部１０４とを備え、ＰＰＰｏＥ層の通信セッションを重要情報の送受のために確保し、同一の通信回線を共用するＰＣなどとは、独立した通信を実現する。【選択図】  図２
2005109749.tif 000002
【特許請求の範囲】
【請求項１】
通常情報を送受する第１の機器と、前記通常情報と重要度の異なる重要情報を送受する第２の機器と、前記通常情報及び前記重要情報の送受に用いられる通信回線とを接続する網制御装置であって、
前記通信回線を介して送受される前記通常情報及び前記重要情報を中継する中継部と、
前記中継部を介して、独立したＰＰＰｏＥ層の通信セッションを前記通信回線上に設定するとともに、前記通信セッションを用いて前記重要情報のみを送受するルータ機能部と、
前記ルータ機能部の動作を制御及び監視する主制御部と
を備えることを特徴とする網制御装置。
【請求項２】
前記中継部は、前記通常情報及び前記重要情報に付加されているＭＡＣアドレスに基づいて、前記通常情報または前記重要情報を、前記通信回線、前記第１の機器を接続する第１のポートまたは前記ルータ機能部の何れかに中継することを特徴とする請求項１に記載の網制御装置。
【請求項３】
前記中継部による前記通常情報の中継を強制的に切断する強制切断部をさらに備え、
前記主制御部は、前記ルータ機能部が前記通信セッションを設定できない場合、前記強制切断部に前記通常情報の中継を切断させることを特徴とする請求項１または２に記載の網制御装置。
【請求項４】
前記第２の機器を接続する第２のポートを複数備え、
前記ルータ機能部は、独立した複数の前記通信セッションを設定し、前記第２のポートに接続される前記第２の機器毎に、異なる前記通信セッションを用いて前記重要情報を送受することを特徴とする請求項１乃至３の何れか一項に記載の網制御装置。
【請求項５】
前記第２の機器の通信相手先と接続可能な予備通信回線を接続するとともに、前記予備通信回線を用いた前記重要情報の送受を制御するバックアップ回線制御部をさらに備え、
前記主制御部は、前記ルータ機能部が前記通信回線に送信した前記重要情報に対する応答が、所定の時間内に前記ルータ機能部によって受信されない場合、前記バックアップ回線制御部を用いて前記重要情報を送受させることを特徴とする請求項１乃至４の何れか一項に記載の網制御装置。
【請求項６】
前記主制御部は、所定の間隔で応答時間を監視する監視パケットを前記ルータ機能部に送信させるとともに、前記応答時間に応じて、前記バックアップ回線制御部を用いて前記重要情報を送受させることを特徴とする請求項５に記載の網制御装置。
【請求項７】
前記予備通信回線を通信端末に使用させる通信端末ポートと、前記予備通信回線を前記バックアップ回線制御部または前記通信端末ポートに接続する切替スイッチ部をさらに備え、
前記主制御部は、前記ルータ機能部が前記通信回線に送信した前記重要情報に対する応答が、所定の時間内に前記ルータ機能部によって受信されない場合、前記切替スイッチ部に前記予備通信回線と前記バックアップ回線制御部とを接続させ、前記バックアップ回線制御部を用いて前記重要情報を送受させることを特徴とする請求項５または６に記載の網制御装置。
【請求項８】
前記網制御装置に給電されている電源の電圧を監視する電源監視部をさらに備え、
前記主制御部は、前記電源監視部よって監視されている前記電圧の値が所定の値を下回った場合、前記電圧が低下したことを示す電圧低下情報を、前記バックアップ回線制御部または前記ルータ機能部を用いて、所定の宛先に送信することを特徴とする請求項１乃至７の何れか一項に記載の網制御装置。
【請求項９】
前記主制御部は、前記重要情報のフレーム構成に基づいて、前記フレーム構成と異なる構成を有するデータを前記ルータ機能部が受信した場合、前記フレーム構成と異なる構成を有するデータを受信したことを示す不正データ受信情報を、前記バックアップ回線制御部または前記ルータ機能部を用いて、所定の宛先に送信することを特徴とする請求項１乃至８の何れか一項に記載の網制御装置。
【請求項１０】
前記中継部は、前記重要情報を前記通常情報に優先して前記通信回線に中継することを特徴とする請求項２乃至９の何れか一項に記載の網制御装置。
【請求項１１】
前記通常情報または前記重要情報と、ｘＤＳＬ信号との変換を実行するとともに、前記通信回線を介して、変換された前記ｘＤＳＬ信号を送受するｘＤＳＬモデム部と、
前記通信回線上に重畳される信号と、前記ｘＤＳＬ信号との分離及び合成を行うスプリッタ部と
をさらに備えることを特徴とする請求項１乃至１０の何れか一項に記載の網制御装置。
【請求項１２】
前記通常情報または前記重要情報と、光信号との変換を実行するとともに、前記通信回
線を介して、前記光信号を送受するＯＮＵ部をさらに備えることを特徴とする請求項１乃至１０の何れか一項に記載の網制御装置。
【請求項１３】
前記主制御部は、前記網制御装置内部において使用されるファームウェアを、前記ルータ機能部を介して取得して変更することを特徴とする請求項１乃至１２の何れか一項に記載の網制御装置。
【発明の詳細な説明】
【技術分野】
【０００１】
本発明は、通信サービスの加入者宅に設置される機器と、通信回線とを接続する網制御装置（NCU： Network Control Unit）に関し、特に、加入者が利用するパーソナルコンピュータなどと、ホームセキュリティ装置などとが、同一の通信回線を介して情報を送受することができる網制御装置に関する。
【背景技術】
【０００２】
近年の通信技術の進展に伴い、従来、音声通信を行うために敷設されたメタリック加入者回線を介して高速なデータ通信を行う技術、すなわち、ｘＤＳＬ（x Digital Subscriber Line）技術や、通信サービスの加入者宅までを光ファイバで接続する光ファイバ回線が実現され、加入者宅においても、インターネットなどのＩＰ網との高速なデータ通信、いわゆるブロードバンド通信が行える環境が整ってきている。
【０００３】
そこで、従来、メタリック加入者回線を介して接続されている回線交換網を用いて送受されていた情報、例えば、加入者宅に設置されているホームセキュリティ装置から、警備会社のセンタに送信される侵入検知センサーからの情報や監視カメラの映像などの情報についても、上述したブロードバンド通信を用いて送信することが考えられている。
【０００４】
かかる場合、加入者が利用するメタリック加入者回線または光ファイバ回線は、経済的な理由などから、一般的に１回線であるため、加入者が利用するパーソナルコンピュータ（ＰＣ）などと、ホームセキュリティ装置とは、同一の通信回線を介して、インターネットなどのＩＰ網や、警備会社のセンタに設置されるセンタ装置と、それぞれ情報を送受することとなる。
【０００５】
図９は、ホームセキュリティ装置と、ＰＣとが、同一の通信回線を用いて情報を送受する場合における、接続形態の一例を示している。
【０００６】
同図に示す例では、加入者宅１ｂと、通信事業者の通信機器が設置される交換局２とは、メタリック加入者回線１０を介して接続されている。また、加入者宅１ｃと、交換局２とは、光ファイバ回線９０を介して接続されている。
【０００７】
加入者宅１ｂでは、メタリック加入者回線１０を用いて高速なデータ通信を行うｘＤＳＬモデム３０が、音声帯域信号と、ｘＤＳＬ信号とを分離するスプリッタ２０を介してメタリック加入者回線１０と接続されている。また、ｘＤＳＬモデム３０には、ＩＰパケットのルーティング処理などを実行するブロードバンドルータ６０が接続されている。さらに、ブロードバンドルータ６０には、加入者が利用するＰＣ７１と、加入者宅１ｂに設置されている侵入検知センサーなどの情報をセンタ装置５００に送信するとともに、センタ装置５００から制御情報などを受信するホームセキュリティ装置５０が接続されている。
【０００８】
また、加入者宅１ｃでは、光ファイバ回線を終端するための回線終端装置であるＯＮＵ９１が、光ファイバ回線９０と接続されている。また、ＯＮＵ９１には、加入者宅１ｂと同様に、ブロードバンドルータ６０が接続されている。さらに、ブロードバンドルータ６０には、加入者が利用するＰＣ７１と、加入者宅１ｃに設置されている侵入検知センサーや監視カメラの映像などの情報をセンタ装置５００に送信するとともに、センタ装置５００から制御情報などを受信するホームセキュリティ装置５０が接続されている。
【０００９】
一方、交換局２では、ｘＤＳＬモデム３０と対向して高速なデータ通信を行う集合型のｘＤＳＬモデムであるＤＳＬＡＭ２１０が、メタリック加入者回線１０と接続されている。また、交換局２では、ＭＡＣアドレスに基づいて所定のビット列から構成されるフレーム信号のスイッチングを実行するレイヤ２スイッチ２３０が、光ファイバ回線９０と接続されている。
【００１０】
さらに、交換局２には、加入者宅１ｂ及び加入者宅１ｃに設置されているブロードバンドルータ６０やＰＣ７１と、インターネットを含むＩＰ網３００との接続を制御するＰＰＰサーバ２２０が設置されている。
【００１１】
このように、加入者宅１ｂ，１ｃと、交換局２とを接続する通信回線の種類（メタリック加入者回線または光ファイバ回線）は異なるものの、加入者の利用するＰＣ７１や、加入者宅に設置されているホームセキュリティ装置５０をブロードバンドルータ６０に接続することにより、ＰＣ７１と、ホームセキュリティ装置５０とが、同一の通信回線を介して情報を送受することができる。
【００１２】
また、ブロードバンドルータ６０に代えて、ルーティング機能を有するＰＣを用いて、当該ＰＣにＰＣ７１やホームセキュリティ装置５０を接続することによって、ＰＣ７１と、ホームセキュリティ装置５０とが、同一の通信回線を介して情報を送受することもできる。さらに、ｘＤＳＬモデムの機能を内蔵したブロードバンドルータも提供されている（例えば、特許文献１）。
【００１３】
次に、図１０（ａ）は、ｘＤＳＬモデム３０を用いた場合、すなわち、図９に示した加入者宅１ｂに設置されているブロードバンドルータ６０ならびにｘＤＳＬモデム３０と、交換局２に設置されているＤＳＬＡＭ２１０ならびにＰＰＰサーバ２２０とにおいて利用される場合の通信プロトコルの構成を示している。
【００１４】
また、図１０（ｂ）は、ＯＮＵ９１を用いた場合、すなわち、図９に示した加入者宅１ｃに設置されているブロードバンドルータ６０ならびにＯＮＵ９１と、交換局２に設置されているレイヤ２スイッチ２３０ならびにＰＰＰサーバ２２０とにおいて利用される場合の通信プロトコルの構成を示している。
【００１５】
同図（ａ）及び（ｂ）に示すように、ブロードバンドルータ６０及びＰＰＰサーバ２２０では、加入者の認証などを実行する通信プロトコルであるＰＰＰ（Point-to-Point Protocol）と、ＰＰＰをＥｔｈｅｒｎｅｔ（登録商標）上において利用するための通信プロトコルであるＰＰＰｏＥ（PPP over Ethernet、IETF RFC2516）とが利用される。また、ＰＰＰの上位層では、ＩＰやＴＣＰなどが利用される。
【００１６】
さらに、図１１は、図１０に示した各通信プロトコルによって処理されるデータのフレームの構成を示している。なお、図１１は、ｘＤＳＬモデム３０が用いられる場合における通信プロトコルを示しており、ＯＮＵ９１が用いられる場合には、同図（７）〜（９）に示されているＡＴＭ層の処理は不要となる。
【００１７】
このような通信プロトコル構成が利用されるブロードバンドルータ６０と、ＰＰＰサーバ２２０とは、ＰＰＰｏＥフレームに含まれるセッションＩＤによって区別される通信セッションを用いて通信を行う。
【００１８】
つまり、ブロードバンドルータ６０の配下に接続されているＰＣ７１と、ホームセキュリティ装置５０とは、ＰＰＰｏＥフレームに含まれるのセッションＩＤによって区別される同一の通信セッションを用いて、情報を送受することとなる。
【００１９】
ここで、図１２は、図１１に示したＰＰＰｏＥフレームの構成を示している。同図に示すように、ＰＰＰｏＥフレーム３は、バージョン／タイプ３ａと、コード３ｂと、セッションＩＤ３ｃと、ＰＰＰｏＥペイロード長３ｄと、ＰＰｏＥペイロード３ｅとから構成されている。
【００２０】
ブロードバンドルータ６０と、ＰＰＰサーバ２２０とは、２バイトで構成されるセッションＩＤ３ｃに基づいて、ブロードバンドルータ６０と、ＰＰＰサーバ２２０との間に設定される通信セッションを区別する。
【特許文献１】特開２００３−８７２９５号公報（第４−６頁、第２図）
【発明の開示】
【発明が解決しようとする課題】
【００２１】
しかしながら、上述したような従来の接続形態では、ブロードバンドルータ６０の設定内容、例えば、ルーティング情報などが変更されると、ＰＰＰｏＥフレームに含まれるセッションＩＤによって区別される同一の通信セッションを用いて情報を送受するホームセキュリティ装置５０が、センタ装置５００と通信が行えなくなる場合があるといった問題があった。
【００２２】
また、ホームセキュリティ装置５０がブロードバンドルータ６０の配下に接続されているため、ブロードバンドルータ６０の故障や、ブロードバンドルータ６０に供給される電源が切断されると、ホームセキュリティ装置５０と、センタ装置５００との間において通信が行えなくなるといった問題があった。
【００２３】
すなわち、上述した従来のブロードバンドルータ６０は、ホームセキュリティ装置５０など、重要度が高い重要情報を送受する機器を接続した場合、当該重要情報を確実に送受するために必要な通信品質を確保することができないといった問題があった。
【００２４】
そこで、本発明は、以上の点に鑑みてなされたもので、ホームセキュリティ装置など、重要度が高い重要情報を送受する機器が必要とする通信品質を確保しつつ、当該機器と、加入者が利用するパーソナルコンピュータなどとが、同一の通信回線を介して情報を送受することができる網制御装置を提供することをその目的とする。
【課題を解決するための手段】
【００２５】
上述した課題を解決するため、本発明は、次のような特徴を有している。まず、本発明の第１の特徴は、通常情報を送受する第１の機器と、前記通常情報と重要度の異なる重要情報を送受する第２の機器と、前記通常情報及び前記重要情報の送受に用いられる通信回線とを接続する網制御装置であって、前記通信回線を介して送受される前記通常情報及び前記重要情報を中継する中継部と、前記中継部を介して、独立したＰＰＰｏＥ層の通信セッションを前記通信回線上に設定するとともに、前記通信セッションを用いて前記重要情報のみを送受するルータ機能部と、前記ルータ機能部の動作を制御及び監視する主制御部とを備えることを要旨とする。
【００２６】
かかる特徴によれば、ルータ機能部が、第２の機器、例えば、ホームセキュリティ装置などが送受する重要情報のために、中継部を介して独立したＰＰＰｏＥ層の通信セッションを通信回線上に設定し、当該通信セッションを用いて重要情報を送受する。一方、中継部は、第１の機器、例えば、加入者が利用するＰＣやブロードバンドルータなどが送受する通常情報と、ホームセキュリティ装置などが送受する重要情報とを、ＰＰＰｏＥ層以上の通信プロトコルに関与することなく中継する。
【００２７】
この結果、ＰＰＰｏＥ層の通信セッションを重要情報の送受のために確保することができ、同一の通信回線を共用するＰＣなどとは、独立した通信を実現することができる。
【００２８】
すなわち、かかる特徴によれば、特に、重要度が高い重要情報を送受する機器が必要とする通信品質を確保しつつ、当該機器と、ＰＣなどとが、同一の通信回線を介して情報を送受することができる。
【００２９】
また、かかる特徴によれば、中継部が、ＰＰＰｏＥ層以上の通信プロトコルに関与しないため、従来から当該通信回線を介して通信を行っていたブロードバンドルータやＰＣなどの設定を変更することなく、網制御装置を導入することができる。
【００３０】
さらに、かかる特徴によれば、網制御装置の配下にブロードバンドルータなどを接続することができるため、ブロードバンドルータなどの設定変更、故障、或いはブロードバンドルータに供給される電源が切断された場合にも、ホームセキュリティ装置などは、その影響を受けることなく重要情報を送受することができる。
【００３１】
本発明の第２の特徴は、本発明の第１の特徴において、前記中継部が、前記通常情報及び前記重要情報に付加されているＭＡＣアドレスに基づいて、前記通常情報または前記重要情報を、前記通信回線、前記第１の機器を接続する第１のポートまたは前記ルータ機能部の何れかに中継することを要旨とする。
【００３２】
かかる特徴によれば、中継部が、ＰＣなどが送受する情報（通常情報）と、ホームセキュリティ装置などが送受する情報（重要情報）とを、ＭＡＣアドレスに基づいて、特定の中継先のみに中継するため、当該情報が送信先以外に中継されることにより、情報のセキュリティが低下することを防止することができる。
【００３３】
本発明の第３の特徴は、本発明の第１または第２の特徴において、前記中継部による前記通常情報の中継を強制的に切断する強制切断部をさらに備え、前記主制御部が、前記ルータ機能部が前記通信セッションを設定できない場合、前記強制切断部に前記通常情報の中継を切断させることを要旨とする。
【００３４】
かかる特徴によれば、中継部によって中継されるＰＣなどの情報（通常情報）の送受のために既に通信網側で許容される数のＰＰＰｏＥ層の通信セッションが設定されている場合など、ルータ機能部が、ＰＰＰｏＥ層の通信セッションを設定できない場合、強制切断部によって、通常情報を送受するために設定されたＰＰＰｏＥ層の通信セッションが切断されるため、重要情報を送受するＰＰＰｏＥ層の通信セッションをブロードバンドルータなどに優先して確保することができる。
【００３５】
本発明の第４の特徴は、本発明の第１乃至第３の特徴において、前記第２の機器を接続する第２のポートを複数備え、前記ルータ機能部が、独立した複数の前記通信セッションを設定し、前記第２のポートに接続される前記第２の機器毎に、異なる前記通信セッションを用いて前記重要情報を送受することを要旨とする。
【００３６】
かかる特徴によれば、網制御装置に接続されたホームセキュリティ装置などの第２の機器毎に、独立したＰＰＰｏＥ層の通信セッションを用いて重要情報が送受されるため、通信相手先、つまり、ＰＰＰｏＥ層の通信セッションの設定区間が異なる第２の機器を複数接続させることができる。
【００３７】
本発明の第５の特徴は、本発明の第１乃至第４の特徴において、前記第２の機器の通信相手先と接続可能な予備通信回線を接続するとともに、前記予備通信回線を用いた前記重要情報の送受を制御するバックアップ回線制御部をさらに備え、前記主制御部が、前記ルータ機能部が前記通信回線に送信した前記重要情報に対する応答が、所定の時間内に前記ルータ機能部によって受信されない場合、前記バックアップ回線制御部を用いて前記重要情報を送受させることを要旨とする。
【００３８】
かかる特徴によれば、主制御部が、バックアップ回線制御部を用いて重要情報を送受させるため、網制御装置は、ＩＰ網を利用した経済的な通信を行いつつ、通信回線を介して接続されるＩＰ網において障害が発生している場合や、当該ＩＰ網が輻輳している場合には、予備通信回線を介して接続することのできる通信網、例えば、回線交換網や、当該回線交換網と接続されているパケット交換網を介して、重要情報を送受することができる。
【００３９】
本発明の第６の特徴は、本発明の第５の特徴において、前記主制御部が、所定の間隔で応答時間を監視する監視パケットを前記ルータ機能部に送信させるとともに、前記応答時間に応じて、前記バックアップ回線制御部を用いて前記重要情報を送受させることを要旨とする。
【００４０】
かかる特徴によれば、主制御部が、所定の間隔で通信網、例えば、通信網上に設置されているサーバなどからの応答時間を監視するため、網制御装置は、応答時間が一定の時間を上回っている場合には、通信網に重要情報を送信することなく、最初から予備通信回線を介して接続することのできる通信網を介して、重要情報を送受することができる。
【００４１】
本発明の第７の特徴は、本発明の第５または第６の特徴において、前記予備通信回線を通信端末に使用させる通信端末ポートと、前記予備通信回線を前記バックアップ回線制御部または前記通信端末ポートに接続する切替スイッチ部をさらに備え、前記主制御部が、前記ルータ機能部が前記通信回線に送信した前記重要情報に対する応答が、所定の時間内に前記ルータ機能部によって受信されない場合、前記切替スイッチ部に前記予備通信回線と前記バックアップ回線制御部とを接続させ、前記バックアップ回線制御部を用いて前記重要情報を送受させることを要旨とする。
【００４２】
かかる特徴によれば、切替スイッチ部が予備通信回線を通信端末ポートに接続するため、電話回線などの予備通信回線を電話端末やファクシミリ端末などの通信端末に使用させることができる。
【００４３】
さらに、かかる特徴によれば、ルータ機能部が通信回線に送信した重要情報に対する応答が、所定の時間内にルータ機能部によって受信されない場合、切替スイッチ部が、前記予備通信回線と前記バックアップ回線制御部とを接続するため、網制御装置は、電話端末が予備通信回線を使用している場合であっても、当該予備通信回線を介して重要情報を速やかに送信することができる。
【００４４】
本発明の第８の特徴は、本発明の第１乃至第７の特徴において、前記網制御装置に給電されている電源の電圧を監視する電源監視部をさらに備え、前記主制御部が、前記電源監視部よって監視されている前記電圧の値が所定の値を下回った場合、前記電圧が低下したことを示す電圧低下情報を、前記バックアップ回線制御部または前記ルータ機能部を用いて、所定の宛先に送信することを要旨とする。
【００４５】
かかる特徴によれば、網制御装置に供給される電源の電圧が低下したことを示す電圧低下情報が所定の宛先、例えば、ホームセキュリティ装置との間において情報を送受するセンタ装置宛てに送信されるため、センタ側は、網制御装置に供給される電源の電圧の低下により、通信セッションが切断されたことを速やかに認識することができる。
【００４６】
本発明の第９の特徴は、本発明の第１乃至第８の特徴において、前記主制御部が、前記重要情報のフレーム構成に基づいて、前記フレーム構成と異なる構成を有するデータを前記ルータ機能部が受信した場合、前記フレーム構成と異なる構成を有するデータを受信したことを示す不正データ受信情報を、前記バックアップ回線制御部を用いて、所定の宛先に送信することを要旨とする。
【００４７】
かかる特徴によれば、重要情報のフレーム構成と異なるフレーム構成を有するデータがルータ機能部によって受信された場合、不正データ受信情報が、所定の宛先、例えば、ホームセキュリティ装置との間において情報を送受するセンタ装置宛てに送信されるため、センタ側は、網制御装置に対する不正なアクセスを早期に発見し、必要な対処を行うことができる。
【００４８】
本発明の第１０の特徴は、本発明の第２乃至第９の特徴において、前記中継部が、前記重要情報を前記通常情報に優先して前記通信回線に中継することを要旨とする。
【００４９】
かかる特徴によれば、中継部が、ＰＣなどによって送受される通常情報に優先して重要情報を中継するため、ＰＣなどが送受する情報の量が一時的に増大した場合においても、重要情報の伝播遅延が増加することや、重要情報が中継されずに破棄されることを抑制することができる。
【００５０】
本発明の第１１の特徴は、本発明の第１乃至第１０の特徴において、前記通常情報または前記重要情報と、ｘＤＳＬ信号との変換を実行するとともに、前記通信回線を介して、変換された前記ｘＤＳＬ信号を送受するｘＤＳＬモデム部と、前記通信回線上に重畳される信号と、前記ｘＤＳＬ信号との分離及び合成を行うスプリッタ部とをさらに備えることを要旨とする。
【００５１】
かかる特徴によれば、網制御装置がｘＤＳＬモデム及びスプリッタの機能を内蔵するため、必要な設置スペースや電源コンセント数を節約することができるとともに、網制御装置と、ｘＤＳＬモデムと、スプリッタとを個別に製造する場合と比較して、製造コストを低減することができる。
【００５２】
本発明の第１２の特徴は、本発明の第１乃至第１０の特徴において、前記通常情報または前記重要情報と、光信号との変換を実行するとともに、前記通信回線を介して、前記光信号を送受するＯＮＵ部をさらに備えることを要旨とする。
【００５３】
かかる特徴によれば、網制御装置がＯＮＵの機能を内蔵するため、必要な設置スペースや電源コンセント数を節約することができるとともに、網制御装置と、ＯＮＵとを個別に製造する場合と比較して、製造コストを低減することができる。
【００５４】
本発明の第１３の特徴は、本発明の第１乃至第１２の特徴において、前記主制御部が、前記網制御装置において使用されるファームウェアを、前記ルータ機能部を介して取得して変更することを要旨とする。
【００５５】
かかる特徴によれば、主制御部が、網制御装置において使用される使用されるファームウェアを取得して変更するため、網制御装置において使用されるファームウェア例えば、伝送速度の高速化などを目的としてバージョンアップされることが多いｘＤＳＬモデム部が使用するファームウェアを容易に変更することができる。
【発明の効果】
【００５６】
本発明によれば、ホームセキュリティ装置など、重要度が高い重要情報を送受する機器が必要とする通信品質を確保しつつ、当該機器と、加入者が利用するパーソナルコンピュータなどとが、同一の通信回線を介して情報を送受することができる網制御装置を提供することができる。
【発明を実施するための最良の形態】
【００５７】
［第１実施形態］
（網制御装置を含む接続形態）
本発明の第１実施形態について図面を参照しながら説明する。図１は、本実施形態に係る網制御装置を含む接続形態を示している。
【００５８】
同図に示すように、本実施形態に係る網制御装置を構成するＩＰ網用ＮＣＵ１００は、メタリック加入者回線１０が敷設されている加入者宅１ａに設置される。
【００５９】
ＩＰ網用ＮＣＵ１００は、音声帯域信号と、ｘＤＳＬ信号とを分離するスプリッタ２０と、メタリック加入者回線１０を用いて高速なデータ通信を行うｘＤＳＬモデム３０を介して、メタリック加入者回線１０と接続されている。
【００６０】
また、ＩＰ網用ＮＣＵ１００には、加入者宅１ａの状況を監視する監視カメラ４０と、ホームセキュリティ装置５０とが接続されている。さらに、ＩＰ網用ＮＣＵ１００には、ＩＰパケットのルーティング処理などを実行するブロードバンドルータ６０が接続されている。
【００６１】
また、ブロードバンドルータ６０には、加入者が利用するＰＣ７１と、電話端末８０とが接続されている。なお、本実施形態では、ＩＰ網用ＮＣＵ１００にブロードバンドルータ６０が接続されているが、ＰＣ７１をＩＰ網用ＮＣＵ１００に接続する形態とすることもできる。また、電話端末８０は、ＩＰ網用ＮＣＵ１００と、スプリッタ２０とを介して、電話サービスを提供する回線交換網４００を介して音声通信を行うことができる。
【００６２】
一方、交換局２では、ｘＤＳＬモデム３０と対向して高速なデータ通信を行う集合型のｘＤＳＬモデムであるＤＳＬＡＭ２１０が、メタリック加入者回線１０と接続されている。また、ＤＳＬＡＭ２１０は、インターネットを含むＩＰ網３００と、回線交換網４００とに接続されている。
【００６３】
さらに、交換局２には、加入者宅１ａに設置されているＩＰ網用ＮＣＵ１００やブロードバンドルータ６０と、ＩＰ網３００との接続を制御するＰＰＰサーバ２２０が設置されている。
【００６４】
また、ＩＰ網３００と、回線交換網４００とには、監視カメラ４０及びホームセキュリティ装置５０と情報を送受するセンタ装置５００が接続されている。
【００６５】
なお、本実施形態において、ＩＰ網３００（ＰＰＰサーバ２２０）は、同時に２セッション以上の異なるＰＰＰｏＥ層の通信セッションを設定することができることができるものとする。
【００６６】
（網制御装置の論理ブロック構成）
次に、本実施形態に係る網制御装置の論理ブロック構成について説明する。図２は、本実施形態に係る網制御装置を構成するＩＰ網用ＮＣＵ１００の論理ブロック構成を示している。
【００６７】
同図に示すように、ＩＰ網用ＮＣＵ１００は、レイヤ２スイッチ機能部１０２と、ルータ機能部１０３と、主制御部１０４と、外部Ｉ／Ｆ制御部１０５と、バックアップ回線制御部１０６と、切替ＳＷ部１０７と、電源監視部１０８と、強制切断部１０９とを備えている。
【００６８】
また、ＩＰ網用ＮＣＵ１００は、ｘＤＳＬモデム３０と接続されるＬＡＮポート１０１と、ブロードバンドルータ６０と接続されるＬＡＮポート１１０とを備えている。なお、ＬＡＮポート１０１とＬＡＮポート１１０としては、例えば、10BASE-Tや100BASE-TXなどのＥｔｈｅｒｎｅｔを用いることができる。
【００６９】
さらに、ＩＰ網用ＮＣＵ１００は、監視カメラ４０とホームセキュリティ装置５０とを接続する外部装置接続ポート１１１ａと、外部装置接続ポート１１１ｂとを備えている。なお、外部装置接続ポート１１１ａ及び外部装置接続ポート１１１ｂとしては、例えば、ＵＳＢ（Universal Serial Bus）やＲＳ−２３２Ｃなどのシリアルインターフェースを用いることができる。
【００７０】
また、ＩＰ網用ＮＣＵ１００は、スプリッタ２０を介して回線交換網４００と接続される予備通信回線、本実施形態では電話回線を接続する電話回線接続端子１１２と、ブロードバンドルータ６０に接続される電話端末８０に電話回線を使用させる電話端末接続端子１１３を備えている。なお、電話回線接続端子１１２及び電話端末接続端子１１３としては、例えば、ＲＪ−１１コネクタを用いることができる。
【００７１】
次に、上述した各ブロックの機能について説明する。レイヤ２スイッチ機能部１０２は、ブロードバンドルータ６０またはＰＣ７１が送受する通常情報（以下、通常情報）、及び監視カメラ４０及びホームセキュリティ装置５０が送受する重要情報（以下、重要情報）に付加されているＭＡＣアドレスに基づいて、通常情報または重要情報を、メタリック加入者回線１０（通信回線）、ＬＡＮポート１１０（第１のポート）またはルータ機能部１０３の何れかに中継するものであり、本実施形態では、中継部を構成する。
【００７２】
また、レイヤ２スイッチ機能部１０２は、重要情報を通常情報に優先してメタリック加入者回線１０に中継することができる。
【００７３】
具体的には、レイヤ２スイッチ機能部１０２は、主制御部１０４からの制御に基づいて、ルータ機能部１０３から送出された重要情報を優先的にメタリック加入者回線１０に中継する優先制御機能を具備する。なお、主制御部１０４は、優先制御を利用するか否かをユーザーに選択させるため、所定のコマンドを受け付ける機能、或いはディップスイッチを設けることができる。
【００７４】
なお、レイヤ２スイッチ機能部１０２は、ＭＡＣアドレスに基づいて通常情報または重要情報を、メタリック加入者回線１０、ＬＡＮポート１１０またはルータ機能部１０３の何れかに中継する機能に代えて、メタリック加入者回線１０を介して送受される通常情報及び重要情報をＬＡＮポート１１０及びルータ機能部１０３に中継する、いわゆるリピータハブであってもよい。
【００７５】
ルータ機能部１０３は、レイヤ２スイッチ機能部１０２を介して、独立したＰＰＰｏＥ層の通信セッションをメタリック加入者回線１０上に設定するとともに、当該通信セッションを用いて重要情報のみを送受するものである。
【００７６】
具体的には、ルータ機能部１０３は、ＰＰＰサーバ２２０と、図１２に示したＰＰＰｏＥ層のセッションＩＤ３ｃによって区別される独立したＰＰＰｏＥ層の通信セッションを設定し、当該通信セッションを用いて重要情報のみを送受する。
【００７７】
主制御部１０４は、ルータ機能部１０３の動作を制御及び監視するものである。また、主制御部１０４は、ルータ機能部１０３がＰＰＰｏＥ層の通信セッションを設定できない場合、強制切断部１０９に通常情報の中継を切断させることができる。
【００７８】
さらに、主制御部１０４は、ルータ機能部１０３がメタリック加入者回線１０に送信した重要情報に対する応答が、所定の時間内にルータ機能部１０３によって受信されない場合、バックアップ回線制御部１０６を用いて重要情報を送受させることができる。
【００７９】
また、主制御部１０４は、所定の間隔で応答時間を監視する監視パケットをルータ機能部１０３に送信させるとともに、当該監視パケットに対する応答時間に応じて、バックアップ回線制御部１０６を用いて重要情報を送受させることができる。さらに、主制御部１０４は、ルータ機能部１０３がメタリック加入者回線１０に送信した重要情報に対する応答が、所定の時間内にルータ機能部１０３によって受信されない場合、切替ＳＷ部１０７に電話回線（予備通信回線）とバックアップ回線制御部１０６とを接続させ、バックアップ回線制御部１０６を用いて重要情報を送受させることができる。
【００８０】
また、主制御部１０４は、ＩＰ網３００からのみではなく、例えば、センタ装置５００から、回線交換網４００を介して着信する情報を受信するため、切替ＳＷ部１０７に着信した呼の発呼者の識別情報、例えば、発信者番号通知によって通知される発呼者の電話番号を予め登録された電話番号と照合し、登録された電話番号と一致する場合には、強制的に電話回線（予備通信回線）とバックアップ回線制御部１０６とを接続させ、当該情報を受信することができる。
【００８１】
さらに、主制御部１０４は、電源監視部１０８よって監視されているＩＰ網用ＮＣＵ１００への供給電圧の値が所定の値を下回った場合、当該電圧が低下したことを示す電圧低下情報を、バックアップ回線制御部１０６またはルータ機能部１０３を用いて、所定の宛先、例えば、予め登録された電話番号に対して発呼して送信すること、または、予め登録されたＩＰアドレスが割り当てられた機器に送信することができる。
【００８２】
なお、ＩＰ網用ＮＣＵ１００は、供給される商用電源の停電時などに備え、バックアップ用電源（バッテリなど）を具備してもよい。バックアップ用電源を具備することにより、ＩＰ網用ＮＣＵ１００は、商用電源が供給されない場合でも、重要情報の送受に必要となる機能を確実にバックアップすることができる。
【００８３】
また、主制御部１０４は、重要情報のフレーム構成に基づいて、当該フレーム構成と異なる構成を有するデータをルータ機能部１０３が受信した場合、重要情報のフレーム構成と異なる構成を有するデータを受信したことを示す不正データ受信情報を、バックアップ回線制御部１０６またはルータ機能部１０３を用いて、所定の宛先、例えば、予め登録された電話番号に対して発呼して送信することができる。
【００８４】
外部Ｉ／Ｆ制御部１０５は、外部装置接続ポート１１１ａ及び外部装置接続ポート１１１ｂと接続され、監視カメラ４０及びホームセキュリティ装置５０と重要情報を送受するものである。
【００８５】
具体的には、外部Ｉ／Ｆ制御部１０５は、監視カメラ４０及びホームセキュリティ装置５０が使用する接続インターフェース（例えば、ＵＳＢやＲＳ−２３２Ｃ）を介して送受される重要情報をＩＰパケット化し、また、ＩＰパケット化された重要情報を当該接続インターフェースに応じた信号フォーマットに変更する。
【００８６】
バックアップ回線制御部１０６は、監視カメラ４０及びホームセキュリティ装置５０の通信相手先、つまり、本実施形態では、センタ装置５００と接続可能な予備通信回線を接続するとともに、予備通信回線を用いた重要情報の送受を制御するものである。
【００８７】
具体的には、バックアップ回線制御部１０６は、本実施形態では、予備通信回線として電話回線を用い、当該電話回線を介してデータ通信を行うモデム（例えば、ITU-T Vシリーズ）ならびにＮＣＵ機能を具備する。
【００８８】
切替ＳＷ部１０７は、電話回線（予備通信回線）をバックアップ回線制御部１０６または電話端末接続端子１１３（通信端末ポート）に接続するものであり、本実施形態では、切替スイッチ部を構成する。
【００８９】
電源監視部１０８は、ＩＰ網用ＮＣＵ１００に給電されている電源の電圧を監視するものである。
【００９０】
強制切断部１０９は、レイヤ２スイッチ機能部１０２による通常情報の中継を強制的に切断するものである。具体的には、レイヤ２スイッチ機能部１０２によって中継される通常情報の送受のために既にＩＰ網３００で許容される数のＰＰＰｏＥ層の通信セッションが設定されている場合など、ルータ機能部１０３が、ＰＰＰｏＥ層の通信セッションを設定できない場合、強制切断部１０９は、主制御部１０４からの制御に基づいて、通常情報を送受するために設定されたＰＰＰｏＥ層の通信セッションを切断する。
【００９１】
（網制御装置の動作）
次に、上述した本実施形態に係る網制御装置の動作について説明する。図３は、図１に示した接続形態において利用される通信プロトコルの構成を示している。
【００９２】
図３（ａ）に示すように、ＩＰ網用ＮＣＵ１００は、配下に接続されるブロードバンドルータ６０に対しては、ＭＡＣアドレスに基づいて、通常情報を中継する、いわゆるレイヤ２スイッチとして機能する。すなわち、ＩＰ網用ＮＣＵ１００は、ＰＰＰｏＥ層以上の通信プロトコルに関与せず、ブロードバンドルータ６０や、ブロードバンドルータ６０に接続されているＰＣ７１の処理には、何ら影響を与えないように動作する。
【００９３】
したがって、ＰＰＰｏＥ層の通信セッションは、ブロードバンドルータ６０が実行するＰＰＰｏＥ６０ｂと、ＰＰＰサーバ２２０が実行するＰＰＰｏＥ２２０ｂとの間において設定される。ここで、ＰＰＰサーバ２２０は、当該ＰＰＰｏＥ層の通信セッションにセッションＩＤ３ｃによって区別される固有のＩＤ（図中の“ｘ”）を割り当てる。
【００９４】
また、ＩＰ層におけるルーティングなどは、ブロードバンドルータ６０が実行するＩＰ６０ａと、ＰＰＰサーバ２２０が実行するＩＰ２２０ａとの間において実行される。
【００９５】
一方、図３（ｂ）に示すように、ＩＰ網用ＮＣＵ１００は、監視カメラ４０及びホームセキュリティ装置５０が接続される外部Ｉ／Ｆ制御部１０５に対しては、ＩＰ層までの処理を実行する。すなわち、ＰＰＰｏＥ層の通信セッションは、ＩＰ網用ＮＣＵ１００が実行するＰＰＰｏＥ１００ｂと、ＰＰＰサーバ２２０が実行するＰＰＰｏＥ２２０ｂ’との間において設定される。ここで、ＰＰＰサーバ２２０は、当該ＰＰＰｏＥ層の通信セッションにセッションＩＤ３ｃによって区別される固有のＩＤ（図中の“ｙ”）を割り当てる。
【００９６】
また、ＩＰ層におけるルーティングなどは、ＩＰ網用ＮＣＵ１００が実行するＩＰ１００ａと、ＰＰＰサーバ２２０が実行するＩＰ２２０ａ’との間において実行される。
【００９７】
上述したように、ＩＰ網用ＮＣＵ１００は、配下に接続されているブロードバンドルータ６０などとは、異なるセッションＩＤ３ｃを用いて、ブロードバンドルータ６０が設定するＰＰＰｏＥ層の通信セッションとは、独立した通信セッションの確保を実現している。
【００９８】
次に、図４を参照して、ＩＰ網用ＮＣＵ１００が、重要情報、つまり、監視カメラ４０及びホームセキュリティ装置５０によって送出された情報をセンタ装置５００に送信する場合の動作について説明する。
【００９９】
まず、ステップＳ１０において、ＩＰ網用ＮＣＵ１００は、例えばＰＰＰサーバ２２０に監視パケットを定期的に送信し、当該監視パケットに対する応答時間を測定する。なお、ＩＰ網用ＮＣＵ１００は、監視パケットを送信するために、ＰＰＰｏＥ層の通信セッションを設定できない場合、強制切断部１０９によって、ブロードバンドルータ６０とＰＰＰサーバ２２０との間に設定されているＰＰＰｏＥ層の通信セッションを切断してもよい。
【０１００】
ステップＳ２０において、ＩＰ網用ＮＣＵ１００は、監視パケットに対する応答時間が所定の時間を上回っているか否かを判定する。
【０１０１】
ステップＳ３０において、ＩＰ網用ＮＣＵ１００は、監視パケットに対する応答時間が所定の時間以下の場合、ＩＰ網３００を選択する。
【０１０２】
ステップＳ４０において、ＩＰ網用ＮＣＵ１００は、ＩＰ網３００を介して、つまり、ルータ機能部１０３を用いて重要情報をセンタ装置５００に送信する。
【０１０３】
ステップＳ５０において、ＩＰ網用ＮＣＵ１００は、送信した重要情報に対して、所定の時間以内に応答があるか否かを判定する。
【０１０４】
ステップＳ６０において、ＩＰ網用ＮＣＵ１００は、送信した重要情報に対して、所定の時間以内に応答があった場合、重要情報の送信を完了するまで、ステップＳ４０〜Ｓ６０の処理を繰り返す。
【０１０５】
一方、監視パケットに対する応答時間が所定の時間を上回る場合（ステップＳ２０のＹｅｓ）、または送信した重要情報に対して、所定の時間以内に応答がない場合（ステップＳ５０のＮＯ）、ステップＳ７０において、ＩＰ網用ＮＣＵ１００は、回線交換網４００を選択する。
【０１０６】
ステップＳ８０において、ＩＰ網用ＮＣＵ１００は、予備通信回線、つまり、本実施形態では電話回線が、電話端末８０によって使用されているか否かを判定する。
【０１０７】
ステップＳ９０において、ＩＰ網用ＮＣＵ１００は、予備通信回線が使用されている場合、予備通信回線を強制的に切り替え、電話端末８０によって行われている通信を切断する。
【０１０８】
ステップＳ１００において、ＩＰ網用ＮＣＵ１００は、回線交換網４００を介して、つまり、バックアップ回線制御部１０６を用いて重要情報をセンタ装置５００に送信する。
【０１０９】
なお、ＩＰ網用ＮＣＵ１００は、上述したステップＳ１０〜Ｓ３０の動作を実行せず、ステップＳ４０の動作から実行することもできる。かかる場合、ＩＰ網用ＮＣＵ１００は、ＩＰ網３００を介してセンタ装置５００に送信した重要情報に対して、所定の時間以内に応答がない場合、回線交換網４００を介して重要情報をセンタ装置５００に送信する。また、かかる場合、ＩＰ網用ＮＣＵ１００は、重要情報を送信するために、ＰＰＰｏＥ層の通信セッションを設定できない場合、強制切断部１０９によって、ブロードバンドルータ６０とＰＰＰサーバ２２０との間に設定されているＰＰＰｏＥ層の通信セッションを切断してもよい。
【０１１０】
（作用・効果）
本実施形態によれば、ルータ機能部１０３が、ホームセキュリティ装置などが送受する重要情報のために、レイヤ２スイッチ機能部１０２を介して独立したＰＰＰｏＥ層の通信セッションをメタリック加入者回線１０上に設定し、当該通信セッションを用いて重要情報を送受する。一方、レイヤ２スイッチ機能部１０２は、ブロードバンドルータ６０及びＰＣ７１が送受する通常情報と、ホームセキュリティ装置５０などが送受する重要情報とを、ＰＰＰｏＥ層以上の通信プロトコルに関与することなく中継する。
【０１１１】
この結果、ＰＰＰｏＥ層の通信セッションを重要情報の送受のために確保することができ、メタリック加入者回線１０を共用するＰＣ７１などとは、独立した通信を実現することができる。
【０１１２】
すなわち、本実施形態によれば、特に、重要度が高い重要情報を送受するホームセキュリティ装置５０などが必要とする通信品質を確保しつつ、ホームセキュリティ装置５０などと、ＰＣ７１などとが、メタリック加入者回線１０を介して情報を送受することができる。
【０１１３】
また、かかる特徴によれば、レイヤ２スイッチ機能部１０２が、ＰＰＰｏＥ層以上の通信プロトコルに関与しないため、従来からメタリック加入者回線１０を介して通信を行っていたブロードバンドルータ６０及びＰＣ７１の設定を変更することなく、ＩＰ網用ＮＣＵ１００を導入することができる。
【０１１４】
さらに、本実施形態によれば、ＩＰ網用ＮＣＵ１００の配下にブロードバンドルータ６０などを接続することができるため、ブロードバンドルータ６０などの設定変更、故障、或いはブロードバンドルータ６０に供給される電源が切断された場合にも、ホームセキュリティ装置５０などは、その影響を受けることなく重要情報を送受することができる。
【０１１５】
［第２実施形態］
次に、本発明の第２実施形態について説明する。図５は、本実施形態に係る網制御装置を構成するＩＰ網用ＮＣＵ１５０の論理ブロック構成を示している。以下、上述した本発明の第１実施形態に係る網制御装置と異なる部分について主に説明する。
【０１１６】
同図に示すように、ＩＰ網用ＮＣＵ１５０は、ｘＤＳＬモデム部１１４と、スプリッタ部１１５とをさらに備えている。また、ＩＰ網用ＮＣＵ１５０は、メタリック加入者回線１０を接続する加入者回線接続端子１１６を備えている。なお、加入者回線接続端子１１６としては、例えば、ＲＪ−１１コネクタを用いることができる。
【０１１７】
ｘＤＳＬモデム部１１４は、本発明の第１実施形態において説明したｘＤＳＬモデム３０と同様の機能を備え、通常情報または重要情報と、ｘＤＳＬ信号との変換を実行するとともに、メタリック加入者回線１０を介して、変換されたｘＤＳＬ信号を送受するものである。
【０１１８】
スプリッタ部１１５は、本発明の第１実施形態において説明したスプリッタ２０と同様の機能を備え、メタリック加入者回線１０に重畳される信号、すなわち音声帯域信号と、ｘＤＳＬ信号との分離及び合成を行うものである。
【０１１９】
また、本実施形態に係る主制御部１０４は、ＩＰ網用ＮＣＵ１５０において使用されるファームウェア（例えば、主制御部１０４、ｘＤＳＬモデム部１１４または外部Ｉ／Ｆ制御部１０５において使用されるファームウェア）を、ルータ機能部１０３を介して、所定のサーバなどから取得して変更することができる。主制御部１０４は、例えば、センタ装置５００またはホームセキュリティ装置５０からの要求に応じて、ｘＤＳＬモデム部１１４によって使用されるファームウェアを取得して変更することができる。
【０１２０】
なお、ＩＰ網用ＮＣＵ１５０は、上述したＩＰ網用ＮＣＵ１００に、ｘＤＳＬモデムとスプリッタとが内蔵された構成であることから、その動作は、図３に示したＩＰ網用ＮＣＵ１００と、ｘＤＳＬモデム３０とが、一体化されたものと考えればよい。なお、ＩＰ網用ＮＣＵ１５０が重要情報を送信する動作については、図４に示したＩＰ網用ＮＣＵ１００と同様である。
【０１２１】
（作用・効果）
本実施形態によれば、ＩＰ網用ＮＣＵ１５０がｘＤＳＬモデム及びスプリッタの機能を内蔵するため、必要な設置スペースや電源コンセント数を節約することができるとともに、網制御装置と、ｘＤＳＬモデムと、スプリッタとを個別に製造する場合と比較して、製造コストを低減することができる。
【０１２２】
また、本実施形態によれば、主制御部１０４が、ＩＰ網用ＮＣＵ１５０において使用されるファームウェアを取得して変更するため、ＩＰ網用ＮＣＵ１５０において使用されるファームウェア、例えば、伝送速度の高速化などを目的としてバージョンアップされることが多いｘＤＳＬモデム部１１４が使用するファームウェアを容易に変更することができる。
【０１２３】
［第３実施形態］
次に、本発明の第３実施形態について説明する。図６は、本実施形態に係る網制御装置を構成するＩＰ網用ＮＣＵ１６０の論理ブロック構成を示している。以下、上述した本発明の第１実施形態に係る網制御装置と異なる部分について主に説明する。
【０１２４】
同図に示すように、ＩＰ網用ＮＣＵ１６０は、ＯＮＵ部１１７と、メタリック加入者回線１０に代えて、加入者宅１ａに敷設される光ファイバ回線９０を接続する光ファイバ回線接続端子１１８とをさらに備えている。なお、光ファイバ回線接続端子１１８としては、例えば、ＳＣコネクタを用いることができる。
【０１２５】
ＯＮＵ部１１７は、通常情報または重要情報と、光信号との変換を実行するとともに、光ファイバ回線９０を介して、変換された光信号を送受するものである。
【０１２６】
なお、ＩＰ網用ＮＣＵ１６０は、上述したＩＰ網用ＮＣＵ１００に、ＯＮＵが内蔵された構成であることから、その動作は、図３に示したＩＰ網用ＮＣＵ１００と、図１０（ｂ）に示したＯＮＵ９１とが、一体化されたものと考えればよい。なお、ＩＰ網用ＮＣＵ１６０が重要情報を送信する動作については、図４に示したＩＰ網用ＮＣＵ１００と同様である。
【０１２７】
（作用・効果）
本実施形態によれば、ＩＰ網用ＮＣＵ１６０がＯＮＵの機能を内蔵するため、必要な設置スペースや電源コンセント数を節約することができるとともに、網制御装置と、ＯＮＵとを個別に製造する場合と比較して、製造コストを低減することができる。
【０１２８】
［変更例１］
本発明は、上述した第１乃至第３実施形態に限定されるものではなく、例えば、以下のように変更することができる。図７は、本発明の一変更例に係る網制御装置の論理ブロック構成を示している。以下、上述した本発明の第１実施形態に係る網制御装置と異なる部分について主に説明する。
【０１２９】
同図に示すように、本変更例に係る網制御装置を構成するＩＰ網用ＮＣＵ１７０は、複数の外部Ｉ／Ｆ制御部１０５ａ，１０５ｂ，１０５ｃを備えている。また、ＩＰ網用ＮＣＵ１７０は、外部Ｉ／Ｆ制御部１０５ａ，１０５ｂ，１０５ｃにそれぞれ接続される外部装置接続ポート１２１〜１２３（第２のポート）を備えている。
【０１３０】
また、ルータ機能部１０３は、独立した複数のＰＰＰｏＥ層の通信セッションを設定し、外部装置接続ポート１２１〜１２３に接続される監視カメラ４０やホームセキュリティ装置５０毎に、異なるＰＰＰｏＥ層の通信セッションを用いて重要情報を送受することができる。
【０１３１】
（作用・効果）
本変更例によれば、ＩＰ網用ＮＣＵ１７０に接続された監視カメラ４０やホームセキュリティ装置５０毎に、独立したＰＰＰｏＥ層の通信セッションを用いて重要情報が送受されるため、ＩＰ網用ＮＣＵ１７０は、通信相手先、つまり、ＰＰＰｏＥ層の通信セッションの設定区間が異なるホームセキュリティ装置などを複数接続することができる。
【０１３２】
［変更例２］
次に、本発明の他の変更例について説明する。図８は、本変更例に係る網制御装置の論理ブロック構成を示している。以下、上述した本発明の第１実施形態に係る網制御装置と異なる部分について主に説明する。
【０１３３】
同図に示すように、本変更例に係る網制御装置を構成するＩＰ網用ＮＣＵ１８０は、ＩＰ網用ＮＣＵ１００と比較すると、レイヤ２スイッチ機能部１０２及びブロードバンドルータ６０などを接続するＬＡＮポート１１０を備えず、ルータ機能部１０３が、ＬＡＮポート１０１に直接接続されている。
【０１３４】
また、ＩＰ網用ＮＣＵ１８０は、複数の外部Ｉ／Ｆ制御部１０５ａ，１０５ｂ，１０５ｃと、外部Ｉ／Ｆ制御部１０５ａ，１０５ｂ，１０５ｃにそれぞれ接続される外部装置接続ポート１２１〜１２３を備えている。
【０１３５】
さらに、ルータ機能部１０３は、独立した複数のＰＰＰｏＥ層の通信セッションを設定し、外部装置接続ポート１２１〜１２３に接続される監視カメラ４０やホームセキュリティ装置５０毎に、異なるＰＰＰｏＥ層の通信セッションを用いて重要情報を送受することができる。
【０１３６】
（作用・効果）
本変更例によれば、ＩＰ網用ＮＣＵ１８０は、ブロードバンドルータ６０やＰＣ７１を接続することができないが、ＩＰ網用ＮＣＵ１８０に接続された監視カメラ４０やホームセキュリティ装置５０毎に、独立したＰＰＰｏＥ層の通信セッションを用いて重要情報が送受されるため、通信相手先、つまり、ＰＰＰｏＥ層の通信セッションの設定区間が異なるホームセキュリティ装置などを複数接続することに特化した網制御装置を提供することができる。
【図面の簡単な説明】
【０１３７】
【図１】本発明の実施形態に係る網制御装置を含む接続形態を示す図である。
【図２】本発明の第１実施形態に係る網制御装置の論理ブロック構成を示す図である。
【図３】本発明の第１実施形態に係る網制御装置の動作を示す図である。
【図４】本発明の第１実施形態に係る網制御装置の動作を示す図である。
【図５】本発明の第２実施形態に係る網制御装置の論理ブロック構成を示す図である。
【図６】本発明の第３実施形態に係る網制御装置の論理ブロック構成を示す図である。
【図７】本発明の変更例に係る網制御装置の論理ブロック構成を示す図である。
【図８】本発明の変更例に係る網制御装置の論理ブロック構成を示す図である。
【図９】ホームセキュリティ装置やＰＣなどを含む従来の接続形態を示す図である。
【図１０】従来の接続形態において利用される通信プロトコルの構成を示す図である。
【図１１】従来の接続形態において利用されるデータのフレーム構成を示す図である。
【図１２】ＰＰＰｏＥフレームの構成を示す図である。
【符号の説明】
【０１３８】
１ａ，１ｂ，１ｃ…加入者宅、２…交換局、３…ＰＰＰｏＥフレーム、３ａ…バージョン／タイプ、３ｂ…コード、３ｃ…セッションＩＤ、３ｄ…ＰＰＰｏＥペイロード長、３ｅ…ＰＰｏＥペイロード、１０…メタリック加入者回線、２０…スプリッタ、３０…ｘＤＳＬモデム、４０…監視カメラ、５０…ホームセキュリティ装置、６０…ブロードバンドルータ、６０ａ…ＩＰ、６０ｂ…ＰＰＰｏＥ、７１…ＰＣ、８０…電話端末、９０…光ファイバ回線、９１…ＯＮＵ、１００…ＩＰ網用ＮＣＵ、１００ａ…ＩＰ、１００ｂ…ＰＰＰｏＥ、１０１…ＬＡＮポート、１０２…レイヤ２スイッチ機能部、１０３…ルータ機能部、１０４…主制御部、１０５，１０５ａ，１０５ｂ，１０５ｃ…外部Ｉ／Ｆ制御部、１０６…バックアップ回線制御部、１０７…切替ＳＷ部、１０８…電源監視部、１０９…強制切断部、１１０…ＬＡＮポート、１１１ａ，１１１ｂ…外部装置接続ポート、１１２…電話回線接続端子、１１３…電話端末接続端子、１１４…ｘＤＳＬモデム部、１１５…スプリッタ部、１１６…加入者回線接続端子、１１７…ＯＮＵ部、１１８…光ファイバ回線接続端子、１２１，１２２，１２３…外部装置接続ポート、１５０，１６０，１７０，１８０…ＩＰ網用ＮＣＵ、２１０…ＤＳＬＡＭ、２２０…ＰＰＰサーバ、２２０ａ，２２０ａ’…ＩＰ、２２０ｂ，２２０ｂ’…ＰＰＰｏＥ、２３０…レイヤ２スイッチ、３００…ＩＰ網、４００…回線交換網、５００…センタ装置
【図１】
2005109749.tif 000003
【図２】
2005109749.tif 000004
【図３】
2005109749.tif 000005
【図４】
2005109749.tif 000006
【図５】
2005109749.tif 000007
【図６】
2005109749.tif 000008
【図７】
2005109749.tif 000009
【図８】
2005109749.tif 000010
【図９】
2005109749.tif 000011
【図１０】
2005109749.tif 000012
【図１１】
2005109749.tif 000013
【図１２】
2005109749.tif 000014